(57)【要約】外側壁面にある二つの始点のねじ山（２）、ねじ山の終点の近くに位置している密封要素（３）、及び密封要素（３）の下に位置している環状の隆起（４）から成る熱い飲料が充填されるボトルのためのプラスチックのネックであり、隆起（４）は０．５ｍｍ及び１ｍｍの間に含まれる寸法をした側面を持つ基本的には正方形の形、及び０．４ｍｍから０．１５ｍｍの間に含まれる半径（Ｒ３）を有する、上記プラスチックのネック。
2006526547.tif 000002
【特許請求の範囲】
【請求項１】
外側壁面上に２つの始点のねじ山（２）、ねじ山の終点の近くに位置している密封リング（３）、及び密封リング（３）の側部と隣接しており且つねじ山とは反対の位置にある環状の隆起（４）から成る、熱い飲料を充填するのに適するボトルのためのプラスチックボトルネック（１）であり、環状の隆起（４）は、０．５ｍｍから１ｍｍの間から成る寸法の各側面を有する基本的には正方形の形、及びネックの軸を通過する平面において、０．４ｍｍから０．１５ｍｍの間から成る半径（Ｒ３）を有している、上記プラスチックボトルネック。
【請求項２】
ねじ山（２）は２７０°から３３０°の間で変化して環状に進む二つの始点のねじ山であり、二つのねじ山の初期位置は１５０°から２１０°の間からなる距離で離れている、請求項１に記載のネック。
【請求項３】
ネックの壁面の厚さ（Ｂ）は２．０ｍｍから２．６ｍｍの間である、請求項２に記載のネック。
【請求項４】
閉じ要素（Ａ）の表面における変化は０．９ｍｍから１．５ｍの間である、請求項３に記載のネック。
【請求項５】
ネックの上部縁部は０．４ｍｍから０．７ｍの幅の値を有する内側（Ｒ１）及び外側（Ｒ２）半径を有している、請求項４に記載のネック。
【発明の詳細な説明】
【技術分野】
【０００１】
本発明はボトルネックに関する。より詳細には、熱い液体を充填するためのプラスチックボトルネックに関する。
【背景技術】
【０００２】
紅茶、ジュース、味がついたミネラルウォーター等の、炭酸が入っていない甘い飲み物を作り、ボトルに充填するには、殺菌された容器を使用すること、及びしっかりとした制御を実施することで充填する間における微生物汚染を防ぐことが必要とされる。飲料ボトル詰め工業において、即ちＰＥＴ容器に飲料を充填する際に使用される技術の一つは、通常８０℃から９３℃の温度にある熱い液体をボトルに充填するということである。
【０００３】
ボトルは冷却する間に製品の体積が減少することによって引き起こされる減圧を緩和するように、特別に設計されなければならない。ボトルネックは、キャップの適用及び閉める際の気密性を危うくするような変形を生じることなく、高温の飲料の熱に耐えなければならない。
【０００４】
通常、ネックは急速に冷却される射出成形材料から出来ている。これは、ネックが充填温度より低いガラス転移温度（Ｔｇ）を有する、完全にアモルファスであるＰＥＴから出来ているということを意味している；それにも関わらず、この領域は熱い飲料が接触したときに軟化及び変形をしやすい。
【０００５】
この問題を解決するために、幾つかの解決策が、ボトルが熱い飲料を充填するために使用される際における熱に対する耐性を改善するために提案された。第一の解決策は、ボトルネックを、熱処理を通して結晶化させることを伴う。最先端の技術による第二の解決策は、厚いネックを使用することを伴う。この場合、ネックの領域はアモルファスのままであるが、良い気密性が製造過程を複雑化させることなく保証される。悪いことに、ネック領域の壁面を厚くすることはボトルがより重くなるということを意味している；従って、ボトルはネックの高さを短くすることによって、通常は軽量化される。
【０００６】
高温充填技術を使用するとき、冷たい液体が充填された炭酸の入っていない飲料のために今日売買されている型である、短くて軽いネックを持つボトルを使用することは、幾つかの欠点がある。このネックは、変形の危険性を減少させるために単純に厚くされているのであり、あまり安全ではない：もしキャップが、汚染される可能性のある飲料又は食品を中に入れるボトルには常に存在している密封要素を壊すことなしに故意ではなくわずかに回されるとしたら、密封性を保証することはより難しい。というのも冷たい飲料を充填するために設計されている伝統的なネックは、水平の表面と比較して非常に傾斜のついた角度を通常有している；この場合、キャップが気密性を失うことより、密封要素を壊すことの方が難しくなるのである。このことはキャップがその気密性を失う可能性を増大させ、ボトルの無菌環境及びその外側との交換を導くのであり、それは密封要素の同時的な破損によって示されることなしに生じる。明らかに、このことは健康及び安全という観点からして受け入れがたい。現在までのところ、この問題を解決するための満足できる解決策は提示されていない。
【発明の開示】
【発明が解決しようとする課題】
【０００７】
本発明の目的は、前記の問題を解決する、熱い飲料を充填するためのプラスチックボトルネックを提供することである。
【０００８】
本発明の主な目的は、厳密な気密性の基準を満たし及びキャップが少しでも回されたら密封要素が破損することを保証することが可能である、冷たい飲料を充填するためのボトルに使用されるものとは異なる短いネックを提供することである。
【課題を解決するための手段】
【０００９】
それらの目的は請求項１に記載されているネックの方法によって達成される。
【００１０】
ネック及びその補完的な形をなすキャップによって、ボトルの重さは許容可能な範囲にあり、同時に、キャップが締めて止められているときは完全な機密性が保証されており、及び最初の位置にあるキャップが少しでも回されたならば直ちに密封要素が破損する。
【００１１】
発明の有する、これら及び他の利点及び特質はプラスチックボトルネックの好ましい型に関するより詳細な記述によって容易に明らかとなるものであり、それは制限されない例として、及び後に付随する図面と関連してなされる。
【発明を実施するための最良の形態】
【００１２】
図はプラスチックボトルネックを示しており、下記ではまた参照１として言及されていて、それは特定の断面を持つねじ山（２）を有している。ねじ山（２）は二重につけられている：それはキャップをゆるめてはずすために必要である回転角度を増加させるのであり、及びねじ山の初期位置は互いに１５０°から２１０°まで離れていて、ねじ山は進むにつれ２７０°から３３０°へと変化する。
【００１３】
熱に対する耐性を増大するために、ネックの壁面の厚さ（Ｂ）は冷たい飲料を充填するためのネックのものよりも厚い。Ｂの値は２．０ｍｍから２．６ｍｍの間に好ましくは含まれる；その値は飲料の充填温度に依存して、及び従ってネックの要求される構造的な安定性に依存して選択される。
【００１４】
閉じ要素（Ａ）の表面における変化、即ち壁面を厚くするための閉じ要素の上部縁部の表面を大きくすることは、閉じられたキャップと接触することによって密封性を生むのであり、その変化は０．９ｍｍから１．５ｍｍの間に好ましくは含まれる。
【００１５】
その領域がキャップに対して適切に静止することを確かにするために、即ち気密性を保証するために、ネックの上部縁部へと次のような半径が用いられる。ネックの内側半径（Ｒ１）及び外側半径（Ｒ２）の値は０．４ｍｍから０．７ｍｍの間からなる。
【００１６】
キャップの密封要素の破損性（図には示されていない）を改善するために、ネックのあるもの、即ち基本的には正方形の断面であり、０．５ｍｍから１ｍｍの間に含まれる高さ（Ｃ）及び幅（Ｃ１）を有している歯（４）と相補的な形が、密封リング（３）の下にあるネックの基礎部に位置している。その半径（Ｒ３）は０．４ｍｍから０．１５ｍｍの範囲にある。
【００１７】
それらの特質の相乗的組み合わせはプラスチックの閉じ要素の正確な適用を確実にし、そして開いている間の（従って、ボトルのねじ山と関係して、キャップを緩めるときの）プラスチックキャップの密封と関連して、閉じ要素が破損することを可能とするものであり、それは空気が当然のこととして一般的に容易に汚染される飲料と接触し得る前になされるのである。
【００１８】
上記されたようなものと同様のネックを有するボトルを使用することは、炭酸の入っていない飲料又は水を中に入れる、又は熱い飲料を充填する過程において使用されるボトルとしては、性能を維持する一方、既存のネックと比較してボトルの重量が軽いという付加的で重要な利点を有している。
【図面の簡単な説明】
【００１９】
【図１】図１は発明に従うボトルネックの側面図である。
【図２】図２は図１に示されているボトルネックの断面図である。
【符号の説明】
【００２０】
１  ネック
２  ねじ山
３  密封リング
４  歯
Ａ  閉じ要素
Ｂ  壁面の厚さ
Ｃ  高さ
Ｃ１  幅
Ｒ１  内側半径
Ｒ２  外側半径
Ｒ３  歯の半径
【図１】
2006526547.tif 000003
【図２】
2006526547.tif 000004
【国際調査報告】
2006526547.tif 000005
2006526547.tif 000006